(57)【要約】【課題】ロケット花火の威嚇効果を最大限発揮することができるとともに、周辺環境への悪影響を最小限に留めることができ、更に時限発射から飛翔、破裂に至る一連の動作を円滑に行うことのできる、新規な鳥獣威嚇装置を開発することを技術課題とした。【解決手段】  飛翔発音体Ｒを発射するための発射装置２は、遅燃性の着火手段と、この着火手段の上方に位置するとともに、複数の飛翔発音体Ｒを設置することのできる発射台２３とを具えて成るものであり、この発射台２３には、導火線Ｒ１が挿通状態とされる導火孔２３ｇが、着火手段２１の上方に位置するように形成されるとともに、この導火孔２３ｇの側方に、前記飛翔発音体Ｒにおける筒体Ｒ０が挿通状態とされる設置棒２３ｅが立設されていることを特徴として成る。【選択図】図１
2018126080.tif 000002
【特許請求の範囲】
【請求項１】
筒体内に推進火薬を具え、この推進火薬の燃焼によって飛翔するとともに鳴音および／または破裂音を発する飛翔発音体を複数設置するとともに、
個々の飛翔発音体に所定の時間間隔で着火することにより、所望の時間間隔で飛翔発音体を発射することができるように構成された鳥獣威嚇装置において、
前記飛翔発音体を発射するための発射装置は、
遅燃性の着火手段と、
この着火手段の上方に位置するとともに、複数の飛翔発音体を設置することのできる発射台とを具えて成るものであり、
この発射台には、導火線が挿通状態とされる導火孔が、着火手段の上方に位置するように形成されるとともに、この導火孔の側方に、前記飛翔発音体における筒体が挿通状態とされる設置棒が立設されていることを特徴とする鳥獣威嚇装置。
【請求項２】
筒体内に推進火薬を具え、この推進火薬の燃焼によって飛翔するとともに鳴音および／または破裂音を発する飛翔発音体を複数設置するとともに、
個々の飛翔発音体に所定の時間間隔で着火することにより、所望の時間間隔で飛翔発音体を発射することができるように構成された鳥獣威嚇装置において、
前記飛翔発音体を受け入れるとともに、推進火薬が燃え尽きるまで飛翔発音体が飛翔することができるような内部空間を有する飛翔ドームが具えられるものであり、
この飛翔ドームの内周に沿って周回溝が形成されていることを特徴とする鳥獣威嚇装置。
【請求項３】
前記飛翔ドームは分割可能に構成されており、分割片の接合部に前記周回溝が形成されていることを特徴とする請求項２記載の鳥獣威嚇装置。
【請求項４】
前記飛翔ドーム内には、飛翔発音体を衝突させることにより、衝突音を発生させるための衝突板が具えられていることを特徴とする請求項２または３記載の鳥獣威嚇装置。
【請求項５】
筒体内に推進火薬を具え、この推進火薬の燃焼によって飛翔するとともに鳴音および／または破裂音を発する飛翔発音体を複数設置するとともに、
個々の飛翔発音体に所定の時間間隔で着火することにより、所望の時間間隔で飛翔発音体を発射することができるように構成された鳥獣威嚇装置において、
前記飛翔発音体を発射するための発射装置と、
前記飛翔発音体を受け入れるとともに、推進火薬が燃え尽きるまで飛翔発音体が移動することができるような内部空間を有する飛翔ドームとの間に案内筒が設けられ、
この案内筒の上部開口が、前記飛翔ドームの内部空間に進入した状態とされていることを特徴とする鳥獣威嚇装置。
【請求項６】
案内筒は多角形錐形状であり、その内部における角部が、下部開口内に進入した飛翔発音体を上部開口に向けて案内するための案内路として機能するように構成されていることを特徴とする請求項５記載の鳥獣威嚇装置。
【発明の詳細な説明】
【技術分野】
【０００１】
農業、林業、漁業、更には日常生活で生じる有害な鳥獣被害を玩具花火の破裂音等で防止軽減する鳥獣威嚇装置に関するものである。
【背景技術】
【０００２】
昨今農作物への被害拡大が確認されている野生鳥獣は、一定の生活パターンで行動するものであり、例えば鳥類においては日の出前に田畑に飛来して農作物を食べた後、水場に移動して水分の補給、水浴び、羽根の手入れを行うというものであり、この行動は餌が無くなるか、餌場を危険地域と認識するまで毎日続くこととなる。このような鳥類の習性から、朝一番の行動である田畑への飛来を防ぐことによって、日中再び飛来する確率を飛躍的に低下させることができる。
ところで従来より鳥獣の威嚇として、爆竹等の花火の破裂音によるものが広く試みられているが、鳥類への威嚇にあっては前述した習性に因み、毎朝日の出前に鳴らすことが重要であり、このような作業は当然ながら農業従事者への負担が大きなものとなってしまう。
【０００３】
そこで本出願人は爆竹に着火するタイマー機能を有した鳥獣威嚇装置として、蚊取線香を用いたものを発明し（特許文献１）、更に火縄を用いるものを発明し（特許文献２）、それぞれ特許出願に至っている。
更に本出願人は、爆竹を用いる鳥獣威嚇装置を改良するとともに更なる特許出願に及んでおり、その技術内容は評価されて特許を取得するに至っている（特許文献３、４）。
なお本出願人は、これら鳥獣威嚇装置を高い位置に設け、極力、鳥獣の頭上で威嚇音を鳴らすようにしている。これは鳥獣が生まれながらに持っている、雷を恐れるという習性を利用したものである（雷効果）。
【０００４】
また威嚇音の発生源としては、安価で入手し易いおもちゃ花火類を流用することが望ましく、破裂音のみを発する爆竹の他、飛翔した後に破裂音を発する龍勢花火、飛翔しながら笛音を発した後に破裂音を発するロケット花火等が挙げられる。
このうちロケット花火は、筒体内に推進火薬と破裂火薬とが充填され、推進火薬の燃焼による飛翔の際に、筒体の開口部において笛音が発生し、推進火薬が燃え尽きた後に破裂火薬が爆発的に燃焼する際に破裂音を発するものであり、おもちゃ花火の中では鳥獣に対する威嚇効果が最も高いものである。
一方で近時、環境保全の観点から使用後のロケット花火等の破裂残渣は回収することが求められているが、このものは広範囲に飛んでゆくため、毎日複数の破裂残渣を確実に回収することは困難であり現実的ではない。
【０００５】
そこで本出願人は、ロケット花火を発射する装置に対して定置破裂器を具え、この定置破裂器内に金属板等により形成されたスパイラル状の経路においてロケット花火を飛翔させ、最終的にこの経路の終端において破裂させるとともに、その位置に破裂残渣を留めておく構成の装置を提案している（特許文献５図１１参照）。
しかしながらロケット花火は一般的に３０ｍ以上飛翔するものであり、このような定置破裂器で３０ｍ以上の経路全てを確保しようとすると機器が大型化してしまうため現実的ではない。このため定置破裂器内においてロケット花火は、推進火薬が燃焼し切れていない段階で経路の終端部に到達してしまい、しばらくそこに留まった後、推進火薬が燃焼し切った時点で破裂火薬の燃焼による破裂音が発せられることとなる。
このため終端部に遮られて飛翔していないときには笛音が発せられず、ロケット花火特有の笛音による威嚇効果を十分に発揮することができなかった。
【０００６】
また前記特許文献５において、複数のロケット花火がセットされる導火線ガイドから発射されたロケット花火は、逆漏斗状の誘導筒を通じて定置破裂器内に進入するものであるが、誘導筒の内壁への衝突角度によっては誘導筒内を迷走してしまうことがあり、最悪の場合、導火線ガイド上にセットされた作動待機中のロケット花火に衝突してこのものを脱落させてしまうという問題を生じさせていた。
【０００７】
その後も本出願人は、鳥獣威嚇装置の研究・開発を鋭意継続しており、その中で威嚇音の発生体として最も威嚇効果の高いロケット花火を用いることを前提として改良を重ねてきた。
【先行技術文献】
【特許文献】
【０００８】
【特許文献１】特開平１０−５２２１２号公報
【特許文献２】特開２００２−９８４９９公報
【特許文献３】特許第４１３８６８６号公報
【特許文献４】特許第４９３８５２３号公報
【特許文献５】特開平８−１５４号公報
【発明の概要】
【発明が解決しようとする課題】
【０００９】
本発明はこのような背景からなされたものであって、ロケット花火の威嚇効果を最大限発揮することができるとともに、周辺環境への悪影響を最小限に留めることができ、更に時限発射から飛翔、破裂に至る一連の動作を円滑に行うことのできる、新規な鳥獣威嚇装置を開発することを技術課題としたものである。
【課題を解決するための手段】
【００１０】
すなわち請求項１記載の鳥獣威嚇装置は、筒体内に推進火薬を具え、この推進火薬の燃焼によって飛翔するとともに鳴音および／または破裂音を発する飛翔発音体を複数設置するとともに、個々の飛翔発音体に所定の時間間隔で着火することにより、所望の時間間隔で飛翔発音体を発射することができるように構成された鳥獣威嚇装置において、前記飛翔発音体を発射するための発射装置は、遅燃性の着火手段と、この着火手段の上方に位置するとともに、複数の飛翔発音体を設置することのできる発射台とを具えて成るものであり、この発射台には、導火線が挿通状態とされる導火孔が、着火手段の上方に位置するように形成されるとともに、この導火孔の側方に、前記飛翔発音体における筒体が挿通状態とされる設置棒が立設されていることを特徴として成るものである。
【００１１】
また請求項２記載の鳥獣威嚇装置は、筒体内に推進火薬を具え、この推進火薬の燃焼によって飛翔するとともに鳴音および／または破裂音を発する飛翔発音体を複数設置するとともに、個々の飛翔発音体に所定の時間間隔で着火することにより、所望の時間間隔で飛翔発音体を発射することができるように構成された鳥獣威嚇装置において、前記飛翔発音体を受け入れるとともに、推進火薬が燃え尽きるまで飛翔発音体が飛翔することができるような内部空間を有する飛翔ドームが具えられるものであり、この飛翔ドームの内周に沿って周回溝が形成されていることを特徴として成るものである。
【００１２】
更にまた請求項３記載の鳥獣威嚇装置は、前記請求項２記載の要件に加え、前記飛翔ドームは分割可能に構成されており、分割片の接合部に前記周回溝が形成されていることを特徴として成るものである。
【００１３】
更にまた請求４項記載の鳥獣威嚇装置は、前記請求項２または３記載の要件に加え、前記飛翔ドーム内には、飛翔発音体を衝突させることにより、衝突音を発生させるための衝突板が具えられていることを特徴として成るものである。
【００１４】
更にまた請求項５記載の鳥獣威嚇装置は、筒体内に推進火薬を具え、この推進火薬の燃焼によって飛翔するとともに鳴音および／または破裂音を発する飛翔発音体を複数設置するとともに、個々の飛翔発音体に所定の時間間隔で着火することにより、所望の時間間隔で飛翔発音体を発射することができるように構成された鳥獣威嚇装置において、前記飛翔発音体を発射するための発射装置と、前記飛翔発音体を受け入れるとともに、推進火薬が燃え尽きるまで飛翔発音体が移動することができるような内部空間を有する飛翔ドームとの間に案内筒が設けられ、この案内筒の上部開口が、前記飛翔ドームの内部空間に進入した状態とされていることを特徴として成るものである。
【００１５】
更にまた請求項６記載の鳥獣威嚇装置は、前記請求項５記載の要件に加え、案内筒は多角形錐形状であり、その内部における角部が、下部開口内に進入した飛翔発音体を上部開口に向けて案内するための案内路として機能するように構成されていることを特徴として成るものである。
そしてこれら各請求項記載の発明の構成を手段として前記課題の解決が図られる。
【発明の効果】
【００１６】
まず請求項１記載の発明によれば、導火線が挿通状態とされる導火孔と、飛翔発音体における筒体が挿通状態とされる設置棒とが個別に設けられるため、導火線及び推進火薬の燃焼によって生じるヤニ、黒鉛、燃えカス等による目詰まりの発生を低減することができる。
【００１７】
また請求項２記載の発明によれば、飛翔発音体は、飛翔ドームの内周に沿って形成された周回溝内を移動（飛翔）することができるため、推進火薬が燃え尽きるまで移動（飛翔）を継続することができる。このため飛翔発音体としてロケット花火を用いた場合には、ロケット花火特有の笛音による威嚇効果を最大限に発揮することができる。
【００１８】
更にまた請求項３記載の発明によれば、飛翔ドーム内に蓄積される飛翔発音体の破裂残渣を除去することを考慮して飛翔ドームを分割可能に構成しながらも、周回溝を合理的に構成することができる。
【００１９】
また請求項４記載の発明によれば、飛翔発音体が衝突板に衝突することにより、シンバル様の衝突音を発生させることができ、この衝突音により鳥獣への威嚇が行われる。また飛翔ドーム内に進入した飛翔発音体は最初に衝突板に衝突することとなるため、高速の飛翔発音体が飛翔ドームの内壁に衝突することによる変形や損傷を回避することができる。
【００２０】
更にまた請求項５記載の発明によれば、推進力を失った飛翔発音体が飛翔ドームの下部に落下してそこに破裂残渣として留まるが、この場所は飛翔ドーム内に進入した案内筒の上部開口よりも下方に位置しているため、破裂残渣が新たな飛翔発音体の進路を妨げてしまうのを回避することができる。
【００２１】
更にまた請求項６記載の発明によれば、飛翔発音体は管本体の内壁部の何れかの個所に衝突することとなるが、この際、管本体の内壁部に衝突した飛翔発音体は、内壁に沿って上向きに移動し、やがて何れかの陵線の内側部分（案内路）に至ることとなり、その後はこの陵線の内側部分（案内路）に沿って上方に移動するため、確実に上部開口に至ることとなる。
【図面の簡単な説明】
【００２２】
【図１】本発明の鳥獣威嚇装置を一部破断して示す斜視図である。
【図２】本発明の鳥獣威嚇装置を一部透視して示す分解図である。
【図３】発射装置を示す分解図である。
【図４】発射台を示す平面図及び底面図である。
【図５】発射台の他の形態を示す平面図及び飛翔発音体を設置した状態を示す縦断側面図である。
【図６】タイマーを示す平面図である。
【図７】案内筒を一部透視して示す斜視図である。
【図８】飛翔ドーム及びその構成要素を示す斜視図である。
【図９】発射台に設置された飛翔発音体周辺の様子を示す縦断側面図である。
【発明を実施するための形態】
【００２３】
本発明の鳥獣威嚇装置の最良の形態の一つは以下の実施例に説明するとおりであるが、以下の実施例に対して、本発明の技術的思想の範囲内において適宜変更を加えることも可能である。
【実施例】
【００２４】
図中、符号１で示すものが本発明の鳥獣威嚇装置であって、このものは図１に示すように、飛翔発音体Ｒを複数設置するとともに、その導火線Ｒ１に着火する発射装置２と、飛翔発音体Ｒの飛翔空間となる飛翔ドーム５と、発射装置２から発射された飛翔発音体Ｒを確実に飛翔ドーム５に導くための案内筒３とを具えて構成されるものである。
このような鳥獣威嚇装置１は、個々の飛翔発音体Ｒに所定の時間間隔で着火することにより、所望の時間間隔で飛翔発音体Ｒを発射することにより、その笛音、破裂音によって鳥獣の威嚇を効果的に実施することができるように構成された装置である。
【００２５】
なお前記飛翔発音体Ｒは、いわゆるロケット花火、龍勢花火と呼ばれる、おもちゃ花火として流通しているものであり、この明細書では、鳴音を発することなく飛翔した後に破裂音を発するものを龍勢花火、飛翔しながら鳴音を発した後に破裂音を発するものをロケット花火と呼ぶものと呼称する。
このような飛翔発音体Ｒの一例であるロケット花火は、一端が閉塞された筒体Ｒ０内に導火線Ｒ１が挿入されるとともに推進火薬Ｇ１及び破裂火薬Ｇ２が充填されたものであり、推進火薬Ｇ１の燃焼による飛翔の際に、筒体Ｒ０の開口部において笛音が発生し、推進火薬Ｇ１が燃え尽きた後に破裂火薬Ｇ２が爆発的に燃焼する際に破裂音を発するものである。なおロケット花火の笛音は、猛禽類の羽音に似ているため、特に鳥類や小動物に対する威嚇効果に優れている。
【００２６】
以下、本発明の鳥獣威嚇装置１の構成について詳しく説明する。
まず前記発射装置２は図３に示すように、着火手段２１を支承する通気基台２２と、複数の飛翔発音体Ｒが設置される発射台２３と、着火手段２１に対して所望の時間経過後に着火するためのタイマー２４とが、底板部２５に対して一体的に組み付けられて構成される。
前記着火手段２１は、蚊取線香、火縄等遅燃性の燃焼体が適用されるものであり、この実施例では一例として市販の渦巻状の蚊取線香が採用されるものであり、この蚊取線香の外周側端部が燃焼の始端２１ｓとなるものであり、一方、中心側端部（終端）付近には中心孔２１ａが形成されている。
なお蚊取線香の燃焼速度は約１０ｃｍ／時間であり、種類にもよるが６から１２時間程の燃焼が継続するものであるため、この時間内で飛翔発音体Ｒへの着火が可能となるものである。
【００２７】
また前記通気基台２２は、枠体２２ａの底部に耐火網２２ｂが張設されており、この耐火網２２ｂの外周部付近の一定範囲の網体が除去されて着火窓２２ｃが形成されている。また耐火網２２ｂの中心にはワッシャ状の金属部材が設置され、その中心孔が挿通孔２２ｄとされている。また枠体２２ａの内側の所定の位置に、適宜管体が取り付けられており、この管体の孔が位置決孔２２ｅとされている。
【００２８】
また前記発射台２３は図４に示すように、後述する案内筒３の下部開口３１の平面形状と同様の形状（この実施例では正六角形）とされた基板２３ａの中心に挿通孔２３ｂが形成され、更に前記通気基台２２における位置決孔２２ｅと対応した個所に位置決孔２３ｃが形成される。
前記基板２３ａに対しては平面視で、着火手段２１の外形を呈する着火手段形状２３ｄが形成されるものであり、この実施例では基板２３ａの板面を適宜切除することにより、残った部位が着火手段形状２３ｄとなるようにした。
なお図５に示すように基板２３ａの板面を切除した部位を着火手段形状２３ｄとしてもよい。
【００２９】
そしてこのような着火手段形状２３ｄ上あるいはその周辺に、一例として３６本の設置棒２３ｅを適宜の間隔で立設するものであり、この間隔が飛翔発音体Ｒの発射間隔となるものである。
なお着火手段形状２３ｄ上には、始端２３ｓから一例として２時間毎に時間表示棒２３ｆが立設される。
また後述するように、前記設置棒２３ｅは飛翔発音体Ｒの筒体Ｒ０に挿入状態とされるものであり、管体ではなく無垢棒とすることにより、導火線Ｒ１や推進火薬Ｇ１の燃焼によって生じるヤニ、黒鉛、燃えカス等の除去を容易に行うことができる。
更に前記設置棒２３ｅの側方には、飛翔発音体Ｒの導火線Ｒ１を挿通するための導火孔２３ｇが形成されるものであり、この実施例では着火手段形状２３ｄ上における設置棒２３ｅの後方（挿通孔２３ｂ側）に形成するようにしたが、前方（始端２３ｓ側）に形成するようにしてもよい。
なお図５に示すように基板２３ａの板面を切除した部位を着火手段形状２３ｄとした場合には、図５（ｂ）に示すように着火手段形状２３ｄが実質的に導火孔２３ｇとして機能することとなる。
更に基板２３ａ上面にはネオジム磁石等のマグネット２３ｈが設けられるものであり、その位置は、後述する案内筒３における吸着片３０ｄの位置に対応した位置とされる。
【００３０】
更にまた前記タイマー２４は、一例として遅燃性の火縄２４ａを、着火手段２１としての蚊取線香への着火タイマーとして機能させるための機器であって、本出願人による特許出願（特許文献３）に開示された構成が採られる。
具体的には図６に示すように、火縄２４ａと、この火縄２４ａを渦巻状に設置する支承板２４ｂとを具えて構成されるものである。前記支承板２４ｂとしては一例として円形の段ボール紙が適用されるものであり、その中心に通風兼取り付け及び取り出し用の通気孔２４ｃが形成され、周縁には通風切欠２４ｄが複数設けられている。
また前記支承板２４ｂ上には、火縄２４ａを載置する位置を記す火縄設置個所印刷２４ｅと、着火個所を記したタイマー印字２４ｇと、どのタイマー印字２４ｇを着火個所とするかを容易に知るための逆算早見印字２４ｆとが記された黒色の薄紙が、貼付されている。
【００３１】
また前記逆算早見印字２４ｆは、時計の文字盤と同じく数字の「１２」と「６」を対向的に印字し、３０°間隔で１〜１２の数字が印字されるものである。なお詳しくは後述するが、逆算早見印字２４ｆを用いることにより、燃焼時間を１２時間とした火縄２４ａのどの位置に着火すれば所望の時刻に着火手段２１に着火することができるかを即座に判断することができるものである。
【００３２】
更にまた前記底板部２５は、一例として円形の底板２５ａと、この底板２５ａの周縁部を覆うように配される枠体２５ｂとを具えて成るものであり、底板２５ａの中心に固定用ネジ２５ｃが立設されるとともに、底板２５ａ内全域に耐火基材２５ｄが敷設される。
なお前記枠体２５ｂの適宜の個所には位置決め用の位置決棒２５ｅが設けられている。
また底板２５ａの下面には、門型のグリップ２５ｆが固定されている。
【００３３】
そしてこれら部材を組み合わせて発射装置２が構築されるものであり、底板部２５における固定用ネジ２５ｃ、位置決棒２５ｅを、それぞれ通気基台２２における挿通孔２２ｄ、位置決孔２２ｅに挿通状態とすることにより、底板部２５に通気基台２２を組み付けるとともに、この状態で固定用ネジ２５ｃに対して着火手段２１における中心孔２１ａを挿通状態とする。
更にこの際、着火窓２２ｃを通じて火縄２４ａの終端と着火手段２１の始端２１ｓとを連結する。
また固定用ネジ２５ｃ、位置決棒２５ｅを、それぞれ発射台２３における挿通孔２３ｂ、位置決孔２３ｃに挿通状態とすることにより発射台２３を組み付ける。そしてこの状態で固定用ネジ２５ｃに対して固定ナット２６を締め付けることにより、上記諸部材が固定されて発射装置２が構成されることとなる。
なお着火手段２１と発射台２３との間にスペーサ２７を噛ませることにより、着火手段２１の固定を確実なものとし、回転を防止して不用意なズレを防止することができる。
【００３４】
次に前記案内筒３は、適宜金属板を曲げ加工する等して多角形錐形状の筒本体３０が形成されたものであり、陵線の内側部分である角溝状の部位が、下部開口３１内に進入した飛翔発音体Ｒを上部開口３２に向けて案内するための案内路３０ａとして機能するものである。この実施例では一例として筒本体３０を六角形錐形状としたため、案内路３０ａは６条形成されている。
また前記上部開口３２には、ヒンジ３３ａを中心に回動する蓋体３３が設けられており、更にこのヒンジ３３ａの周辺には、９０°以上回動した蓋体３３を押し戻すための戻しバネ３３ｂが設けられている。
また下部開口３１の周辺には、案内筒３に組み付けられる発射装置２の脱落を防止するための脱落防止体３４が具えられるものであり、このものは一例としてスプリング３４ａと、ボールチェーンが適用されたチェーン３４ｂと、止め具３４ｃとを具えて構成される。そして筒本体３０の外周面に止め具受３０ｂが具えられる。なおこの実施例では、前記止め具３４ｃはボールチェーンであるチェーン３４ｂに接続されているため回転が可能となっており、このため、止め具受３０ｂとの係合姿勢の選択を容易に行うことができるものである。
なお図２に示した構成は、スプリング３４ａを筒本体３０の外周面に適宜リング部材を介して固定し、更にスプリング３４ａの設置個所に対向する外周面に止め具受３０ｂを具えることにより、伸長したスプリング３４ａによって発射装置２の底部を直線状に支持する構成である。
一方、図７に示した構成は、筒本体３０の二面に固定したワイヤーに、スプリング３４ａを適宜リング部材を介して接続することにより、伸長したスプリング３４ａとワイヤーによって発射装置２の底部をＹ字状に支持する構成である。
【００３５】
また前記下部開口３１の内側における適宜の角部には受爪３０ｃが設けられ、更にこの受爪３０ｃに対向する位置に磁性体から成る吸着片３０ｄが設けられる。更に下部開口３１の適宜の個所（この実施例では二個所）に当接片３０ｅが具えられる。
また筒本体３０表面における下部開口３１付近には、後述する飛翔ドーム５に具えられる組付具５６のフック５６ｃを受け入れる孔であるフック受３４ｄが形成される。
なお前記受爪３０ｃと当接片３０ｅを吸着片３０ｄに置き換えるとともに、これらに対応する基板２３ａの個所にマグネット２３ｈを増設することにより、発射装置２と案内筒３との一体化を磁力のみによって行うようにしてもよい。この場合、更にマグネット２３ｈ及び吸着片３０ｄを増設することにより、正六角形状の下部開口３１に対して、正六角形状の発射台２３（基板２３ａ）がどの向きで進入したとしても両者を磁気にて結合することが可能となる。
【００３６】
次に前記飛翔ドーム５は、前記飛翔発音体Ｒを受け入れるとともに、推進火薬Ｇ１が燃え尽きるまで飛翔発音体Ｒが飛翔することができるような内部空間を有するものである。
具体的には図８（ａ）に示すように、飛翔ドーム５は一例として表面に通気孔５０が多数形成された金属製の球体であり、上半球５１と下半球５２とに分割可能に構成されている。これら上半球５１、下半球５２は、分割部に外折り状にフランジ５１ｆ、５２ｆが形成されたものであり、これらフランジ５１ｆ、５２ｆが当接して球体が形成された状態で、フランジ５１ｆ、５２ｆによって飛翔ドーム５の内周に沿った周回溝５３が形成される。
そして下半球５２の下部には、前記案内筒３の上部開口３２を飛翔ドーム５の内部空間に進入した状態とするための連通口５２ａ（この実施例では案内筒３の形状に因み六角形とされる）が形成されている。
【００３７】
また飛翔ドーム５内には、飛翔発音体Ｒを衝突させることにより、衝突音を発生させるための金属製の衝突板５４が具えられるものであり、一例として上半球５１の上部に円盤状の衝突板５４を吊下具５４ａによって吊持するようにした。
また上半球５１と下半球５２とを一体化するにあたっては、この実施例では図８（ｂ）に示すような連結具５５が用いられるものであり、このものは当接状態のフランジ５１ｆ、５２ｆを囲繞する連結帯５５ａと、この連結帯５５ａを締め込むためのバックル５５ｂと、バックル５５ｂの締め込み状態を維持するためのロック５５ｃとを具えて構成される。
そして図８（ｃ）に示すように連結具５５によって球状とされた飛翔ドーム５と、前記案内筒３とを一体化するための組付具５６が具えられるものであり、このものはスプリング５６ｂの一端に指貫穴５６ａを有するフック５６ｃを具えて構成され、スプリング５６ｂの他端が下半球５２の適宜の個所に固定される。なお図１、８には、組付具５６を二基設ける例を記載したが、三基以上の複数基（一例として四基）を設けるようにしてもよい。
【００３８】
そして上述した発射装置２、案内筒３及び飛翔ドーム５を組み合わせることにより本発明の鳥獣威嚇装置１が構成されるものであり、以下これらの組み付け態様について説明する。
〔着火時間の設定〕
はじめに発射装置２を組み立てるものであり、最初にタイマー２４の設定を行う。
一例として現在時刻が午後６時３０分、翌朝の日の出時間が４時、威嚇音の発音開始をその３０分前の午前３時３０分とした場合、すなわち現在時刻の９時間後に威嚇音の発音を開始したい場合には、タイマー２４の火縄２４ａの燃焼時間は１２時間であるため、渦巻き状の火縄２４ａの中心から３時間分（１２−９＝３）経過した位置に記された数字「３」のタイマー印字２４ｇの個所に着火する。
なおこのような着火位置の選定は、逆算早見印字２４ｆを利用して容易に行うことができるものであり、図６に示されるように現在時刻（午後６時３０分）と、威嚇音の発音開始時刻（翌日の午前３時３０分）との間は、時計反対回りで見ると３時間分であるため、この数字「３」のタイマー印字２４ｇが付された火縄２４ａの部位を着火個所とするものである。
因みに鳥類に対する威嚇の場合には、日の出時間の約３０分前から威嚇音の発音が開始されるようにセットするのが好ましい。
次いでタイマー２４が載置された底板部２５に通気基台２２を組み付けるとともに、耐火網２２ｂ上に着火手段２１をセットし、着火窓２２ｃを通じて火縄２４ａの終端と着火手段２１の始端２１ｓとを連結する。
【００３９】
〔飛翔発音体の設置〕
次いで着火手段２１の上方に発射台２３を組み付けることにより、発射装置２を構成するものであり、この発射台２３には事前に飛翔発音体Ｒをセットしておくことが好ましい。
具体的には図９（ａ）に示すように、設置棒２３ｅに対し飛翔発音体Ｒをセットするものであり、設置棒２３ｅが飛翔発音体Ｒの筒体Ｒ０に挿入状態となるようにする。この際、飛翔発音体Ｒの導火線Ｒ１を設置棒２３ｅの側方に設けられた導火孔２３ｇに挿通するものであり、着火手段２１の上面に当接した導火線Ｒ１が飛翔発音体Ｒの自重を支えている状態となっている。
なお必ずしも全ての設置棒２３ｅに対して飛翔発音体Ｒをセットする必要はなく、時間表示棒２１ｇを目安に一時間あたりに発射する飛翔発音体Ｒの数を適宜調整することが可能である。因みに時間表示棒２１ｇはヤニ、黒鉛、燃えカス等によって埋もれてしまうことがなく、例えば基板２３ａ上に印刷された数字のように、汚れによって視認することができなくなってしまうような事態を回避することができるものである。
そしてこのように飛翔発音体Ｒがセットされた発射台２３を、一体化された底板部２５、タイマー２４、通気基台２２に対して組み付けることにより発射装置２を構築する。
【００４０】
〔発射装置と案内筒との一体化〕
次いで発射装置２を案内筒３に装着するものであり、平面視六角形状の基板２３ａにおけるマグネット２３ｈが設置された角部に対向する位置の角部を、案内筒３の下部開口３１内側に位置する受爪３０ｃの上面側に載せるようにしてこれらを係止する。なおこのように受爪３０ｃの上面側に載せられる角部には、矢印等のマーキングを付しておくことが好ましい。
次いでマグネット２３ｈを吸着片３０ｄに吸着させることにより、発射装置２と案内筒３とが一体化する。このとき、二個所に形成された当接片３０ｅが基板２３ａの角部上面に当接するため、発射装置２と案内筒３との相対的な位置関係が安定的に保持されることとなる。
次いで脱落防止体３４を機能させるものであり、止め具３４ｃを発射装置２における門型のグリップ２５ｆに挿通するとともに、これを引っ張ってスプリング３４ａを伸ばし、止め具受３０ｂを止め具３４ｃの穴を挿通するようにしてこれらを係止する。この際、止め具３４ｃはボールチェーンが適用されたチェーン３４ｂに接続されているため、容易に回転させることができ、片手でも穴の位置を適切な状態にすることができる。
【００４１】
〔案内筒と飛翔ドームとの一体化〕
次いで案内筒３と飛翔ドーム５とを一体化することにより本発明の鳥獣威嚇装置１を構成するものであり飛翔ドーム５における連通口５２ａに案内筒３の上部開口３２部分を挿入するとともに、組付具５６におけるフック５６ｃを、案内筒３におけるフック受３４ｄに掛けることにより、案内筒３と飛翔ドーム５との一体化を強固なものとする。
なおこの際、組付具５６には指貫穴５６ａが具えられているため、スプリング５６ｂの伸長、フック５６ｃの操作を確実に行うことが可能となっている。
またこのように案内筒３と飛翔ドーム５とが一体化された状態において、案内筒３の上部開口３２は、飛翔ドーム５の下半球５２の底部よりも数センチ程上方に位置した状態とされるものであり、後述するようにこの下半球５２の底部から案内筒３の上部開口３２までの空間が破裂残渣Ｒ２の回収部位となる。
【００４２】
〔鳥獣威嚇装置の設置〕
そして上述のようにしてセッティングの完了した鳥獣威嚇装置１は、図１に示すように８メートル程度の高所に設置される。このように高所に設置するのは、動物が生まれながらに持っている雷を恐れるという習性を利用するものであり、極力、鳥獣の頭上で飛翔発音体Ｒを発音させるためである。
もちろん鳥獣威嚇装置１による威嚇を、比較的狭い範囲に渡って行う場合等には、適宜トライポッド等を用いて低い個所に設置するようにしてもよい。
【００４３】
〔鳥獣威嚇装置の動作〕
（１）飛翔発音体の発射
そしてこの実施例では、設置後９時間が経過すると、タイマー２４の火縄２４ａが燃焼し終るとともに、着火手段２１の始端２３ｓに火が移り、ここから中心に向かって燃焼が進行してゆく。
そして図９（ａ）で仮想線で示す様に着火手段２１の燃焼個所が導火線Ｒ１に到達すると導火線Ｒ１が着火され、やがて導火線Ｒ１の火が推進火薬Ｇ１に移ると、図９（ｃ）に示すように筒体Ｒ０の下部開口部から燃焼ガスが噴出され、飛翔発音体Ｒは推進力を得て上昇を開始する。そして飛翔発音体Ｒが飛翔すると筒体Ｒ０の開口部において笛音が発生するため、これにより鳥獣への威嚇が行われる。
なお着火手段２１の上面に当接する導火線Ｒ１が燃焼によって短くなってゆくのにともない飛翔発音体Ｒは下降してゆき、推進火薬Ｇ１が着火されるときには図９（ｂ）に示すように、筒体Ｒ０の下部開口部は発射台２３（基板２３ａ）に接した状態となる。このため、燃焼ガスは直接、発射台２３（基板２３ａ）に作用するとともに、その吹き返しが大きなものとなり、飛翔発音体Ｒの推進力はブーストされることとなる。
【００４４】
（２）案内管の通過
案内筒３における下部開口３１の内側に位置する発射台２３から発射された飛翔発音体Ｒは、最終的に上部開口３２に到達するものであるが、直接ここに到達するケースはまれでありほとんどの場合、飛翔発音体Ｒは筒本体３０の内壁部の何れかの個所に衝突することとなる。
この際、筒本体３０の内壁部に衝突した飛翔発音体Ｒは、内壁に沿って上向きに移動するが、やがて何れかの案内路３０ａに至ることとなり、その後はこの案内路３０ａに沿って上方に移動するため、確実に上部開口３２に至ることとなる。
そして飛翔発音体Ｒは蓋体３３を押し上げて上部開口３２を開放状態とし、ここから飛翔ドーム５内に進入する。
この際、押し上げられた蓋体３３は戻しバネ３３ｂによって速やかに押し戻され、上部開口３２は再び閉鎖されるため、例えば降雨時であっても案内筒３及び発射装置２内への雨滴の進入を防止することができる。また蓋体３３によって下部開口３１側から上部開口３２側またはその逆に抜ける空気の循環を防止するため、案内筒３での結露の発生を回避することができる。
【００４５】
（３）飛翔ドーム内での挙動
そして飛翔ドーム５内に進入した飛翔発音体Ｒは、最初に飛翔ドーム５内に吊持された衝突板５４に衝突してシンバル様の衝突音を発生させるものであり、この衝突音により鳥獣への威嚇が行われる。なおこのように飛翔ドーム５内に進入した飛翔発音体Ｒは最初に衝突板５４に衝突するため、高速の飛翔発音体Ｒが上半球５１に衝突することによる変形や損傷を回避することができる。また衝突板５４は上部開口３２の上方に配されるため、例えば降雨時であっても案内筒３及び発射装置２内への雨滴の進入を防止することができる。
次いで速度の低下した飛翔発音体Ｒは飛翔ドーム５の内壁に衝突し、引き続きこの内壁に沿って移動してゆくものであり、やがて飛翔ドーム５の内周に沿った周回溝５３に到達する。以後、飛翔発音体Ｒはこの周回溝５３内を笛音を発しながら飛翔（移動）するものであって、推進火薬Ｇ１が燃え尽きるまで３０ｍ程飛翔するため、この間、笛音による鳥獣への威嚇が行われる。
続いて破裂火薬Ｇ２の燃焼により破裂音を発するものであり、これにより鳥獣への威嚇が行われる。  
この際、飛翔ドーム５自体が笛音及び破裂音と共鳴し、これを増幅して周辺に伝播することができる。
その後、推進力を失った飛翔発音体Ｒ（破裂残渣Ｒ２）は、飛翔ドーム５の下部に落下してそこに留まるものであり、この場所は飛翔ドーム５内に進入した案内筒３の上部開口３２よりも下方に位置しているため、破裂残渣Ｒ２が新たな飛翔発音体Ｒの進路を妨げてしまうのを回避することができる。
【００４６】
上述のように本発明の鳥獣威嚇装置１においては、飛翔発音体Ｒの火薬（導火線Ｒ１、推進火薬Ｇ１、破裂火薬Ｇ２）の燃焼は全て装置内において成されるものであり、不用意に周辺に火の粉を飛散させてしまうことがない。また飛翔ドーム５の表面には通気孔５０が多数形成されているため、火薬の燃焼によって発生した煙はそのまま外部に排出され、この煙も鳥獣類に対する威嚇となる。
【００４７】
そして着火手段２１の燃焼にともなって、順次発射台２３にセットされた飛翔発音体Ｒが順次着火されるものであり、６〜１２時間程の間に十数発から三十数発程度の飛翔発音体Ｒによる鳥獣威嚇が断続的に行われることとなる。
【００４８】
〔鳥獣威嚇装置の再セット〕
そして鳥獣威嚇装置１を再度セットする場合には、まず鳥獣威嚇装置１を地上にまで降ろし、連結具５５のバックル５５ｂをリリースしてこのものを取り外し、下半球５２と一体化されていた上半球５１を取り外し、下半球５２内に溜まっている破裂残渣Ｒ２を除去する。
なおこのような破裂残渣Ｒ２の除去は、下半球５２と案内筒３とを一体化した状態のまま行うことができるため、鳥獣威嚇装置１の再組立の手間を省くことができる。
【００４９】
次いで脱落防止体３４を解除した後、グリップ２５ｆを把持してこのものを下方に引くことにより、マグネット２３ｈの吸着片３０ｄへの吸着を解除して、案内筒３への発射装置２の組み付けを解除する。
そして固定ナット２６を取り外して発射台２３、通気基台２２、タイマー２４及び底板部２５を分解するとともに、耐火網２２ｂ上に位置する着火手段２１の灰を除去し、発射台２３等に付着したヤニ、黒鉛、燃えカス等を除去する。
なお飛翔発音体Ｒにおける筒体Ｒ０が挿通状態とされる設置棒２３ｅは無垢棒であるため、容易に清掃することができるものである。また導火線Ｒ１が挿通される導火孔２３ｇは、薄板である基板２３ａに形成されているため、容易に清掃することができるものである。
【００５０】
次いで新たな火縄２４ａが載置された支承板２４ｂを底板部２５にセットするとともに、発射台２３における設置棒２３ｅに対して新たな飛翔発音体Ｒをセットする。
そして火縄２４ａの適宜の部位に着火した後、前述のようにして着火手段２１、通気基台２２、発射台２３、タイマー２４及び底板部２５を一体化して発射装置２が構成される。
次いで案内筒３と一体化されている下半球５２に対して上半球５１を重ね合わせるとともに、連結具５５を用いてこれらを一体化して飛翔ドーム５を再構成し、更に案内筒３に対して発射装置２を組み付けることにより鳥獣威嚇装置１を再構築し、高所に設置した状態で翌日の鳥獣威嚇に備えるものである。
【００５１】
なお以上の説明では、本発明の鳥獣威嚇装置１を、田畑における農作物被害を回避するために用いることを前提としているが、例えば空港付近でのバードストライクを回避するために用いることもできる。すなわち空港周辺では、電磁波を発する電子機器の使用が厳しく制限されるが、本発明の鳥獣威嚇装置１は当然ながら一切の電磁波を発しないため、複数個所に問題なく設置することができ、バードストライクを効果的に回避することができるものである。
【符号の説明】
【００５２】
１        鳥獣威嚇装置
１１      吊下具
２        発射装置
２１      着火手段
２１ａ    中心孔
２１ｓ    始端
２２      通気基台
２２ａ    枠体
２２ｂ    耐火網
２２ｃ    着火窓
２２ｄ    挿通孔
２２ｅ    位置決孔
２３      発射台
２３ａ    基板
２３ｂ    挿通孔
２３ｃ    位置決孔
２３ｄ    着火手段形状
２３ｅ    設置棒
２３ｆ    時間表示棒
２３ｇ    導火孔
２３ｈ    マグネット
２３ｓ    始端
２４      タイマー
２４ａ    火縄
２４ｂ    支承板
２４ｃ    通気孔
２４ｄ    通風切欠
２４ｅ    火縄設置個所印刷
２４ｆ    逆算早見印字
２４ｇ    タイマー印字
２５      底板部
２５ａ    底板
２５ｂ    枠体
２５ｃ    固定用ネジ
２５ｄ    耐火基材
２５ｅ    位置決棒
２５ｆ    グリップ
２６      固定ナット
２７      スペーサ
３        案内筒
３０      筒本体
３０ａ    案内路
３０ｂ    止め具受
３０ｃ    受爪
３０ｄ    吸着片
３０ｅ    当接片
３１      下部開口
３２      上部開口
３３      蓋体
３３ａ    ヒンジ
３３ｂ    戻しバネ
３４      脱落防止体
３４ａ    スプリング
３４ｂ    チェーン
３４ｃ    止め具
３４ｄ    フック受
５        飛翔ドーム
５０      通気孔
５１      上半球
５１ｆ    フランジ
５２      下半球
５２ａ    連通口
５２ｆ    フランジ
５３      周回溝
５４      衝突板
５４ａ    吊下具
５５      連結具
５５ａ    連結帯
５５ｂ    バックル
５５ｃ    ロック
５６      組付具
５６ａ    指貫穴
５６ｂ    スプリング
５６ｃ    フック
Ｒ        飛翔発音体（ロケット花火、龍勢花火）
Ｒ０      筒体
Ｒ１      導火線
Ｒ２      破裂残渣
Ｇ１      推進火薬
Ｇ２      破裂火薬
【図１】
2018126080.tif 000003
【図２】
2018126080.tif 000004
【図３】
2018126080.tif 000005
【図４】
2018126080.tif 000006
【図５】
2018126080.tif 000007
【図６】
2018126080.tif 000008
【図７】
2018126080.tif 000009
【図８】
2018126080.tif 000010
【図９】
2018126080.tif 000011